(57)【特許請求の範囲】
【請求項１】
測定ギャップパターンを構成するように動作可能であり、１つ以上のプロセッサを有する進化型ノードＢ（ｅＮＢ）であって、前記１つ以上のプロセッサが、
ユーザ装置（ＵＥ）について複数の測定ギャップパターンを生成することであって、各測定ギャップパターンは、前記ＵＥが選定済みのセルについて周波数間測定を行うべき間の定義済みの時間期間内での連続サブフレームの少なくとも１つの組を示す、生成することと、
前記ＵＥへの前記複数の測定ギャップパターンを構成することであって、前記ＵＥが、前記複数の測定ギャップパターンに従って、セルのグループ内の選定済みのセルについて前記周波数間測定を行うように構成された、構成することと
を行うように構成されている、ｅＮＢであって、
前記１つ以上のプロセッサが、セルの前記グループ内の前記選定済みのセルについての現在のトラフィック状態に基づいて前記複数の測定ギャップパターンを修正するようにさらに構成され、
前記ＵＥが前記選定済みのセルについて前記周波数間測定を行う間の測定ギャップ長さ（ＭＧＬ）は、前記ＵＥが前記選定済みのセルについて前記周波数間測定を行うときに検出される同期化シンボルの位置に基づいて可変であり、前記ＭＧＬが、前記定義済みの時間期間内での連続サブフレームの前記組に対応する、ｅＮＢ。
【請求項２】
前記１つ以上のプロセッサが、前記ＵＥへの前記複数の測定ギャップパターンを構成して、前記ＵＥが複数のセルについて周波数間測定を同時に行うことを可能にするように構成されている、請求項１に記載のｅＮＢ。
【請求項３】
前記測定ギャップパターンにおける前記定義済みの時間期間が、測定ギャップ繰返し期間（ＭＧＲＰ）であり、前記ＭＧＲＰが、前記周波数間測定の目的に基づいて可変である、請求項１に記載のｅＮＢ。
【請求項４】
セルの前記グループ内の各セルが、定義済みの周波数層において動作し、特定の測定ギャップパターンを使用して測定される、請求項１に記載のｅＮＢ。
【請求項５】
前記ＵＥが前記周波数間測定を行う間の連続サブフレームの前記組は、長さが１ミリ秒（ｍｓ）から５ｍｓにまで及ぶ、請求項１に記載のｅＮＢ。
【請求項６】
前記１つ以上のプロセッサが、前記ＵＥの速度、前記ＵＥにおける品質、又は前記ＵＥが前記周波数間測定を行うセルの数のうちの少なくとも１つに基づいて、前記複数の測定ギャップパターンの密度を調整するようにさらに構成されている、請求項１に記載のｅＮＢ。
【請求項７】
前記定義済みの時間期間が、４０ミリ秒（ｍｓ）、８０ｍｓ、１２０ｍｓ、１６０ｍｓ、２００ｍｓ、又は２４０ｍｓのうちの少なくとも１つである、請求項１に記載のｅＮＢ。
【請求項８】
セルの前記グループ内の前記選定済みのセルが、マクロセル、マイクロセル、ピコセル、又はフェムトセルのうちの少なくとも１つである、請求項１に記載のｅＮＢ。
【請求項９】
前記選定済みのセルについての前記周波数間測定が、参照信号受信電力（ＲＳＲＰ）測定、又は参照信号受信品質（ＲＳＲＱ）測定を含む、請求項１に記載のｅＮＢ。
【請求項１０】
前記ＵＥが前記周波数間測定を行うセルの前記グループは、キャリアアグリゲーション、又はデータオフローディングに使用される、請求項１に記載のｅＮＢ。
【請求項１１】
周波数間測定を行うように構成されたユーザ装置（ＵＥ）であって、
進化型ノードＢ（ｅＮＢ）によって構成された複数の測定ギャップパターンを識別するように構成された通信モジュールであって、各測定ギャップパターンは、前記ＵＥが選定済みのセルについて周波数間測定を行うべき間の定義済みの時間期間内での連続サブフレームの少なくとも１つの組を示し、当該通信モジュールが、デジタルメモリ装置の中に記憶される、又はハードウェア回路の中に実装される、通信モジュールと、
前記ｅＮＢによって構成された前記複数の測定ギャップパターンにより、セルのグループ内の選定済みのセルについて前記周波数間測定を行うように構成された測定モジュールであって、デジタルメモリ装置の中に記憶される、又はハードウェア回路の中に実装される、測定モジュールと
を備え、
前記通信モジュールが、セルの前記グループ内の前記選定済みのセルについての現在のトラフィック状態に基づいて修正される、更新された複数の測定ギャップパターンを受信するようにさらに構成され、
前記測定モジュールが、前記更新された複数の測定ギャップパターンに従って、前記周波数間測定を行うようにさらに構成され、
前記ＵＥが前記選定済みのセルについて前記周波数間測定を行う間の測定ギャップ長さ（ＭＧＬ）は、前記ＵＥが前記選定済みのセルについて前記周波数間測定を行うときに検出される同期化シンボルの位置に基づいて可変であり、前記ＭＧＬが、前記定義済みの時間期間内での連続サブフレームの前記組に対応する、ＵＥ。
【請求項１２】
前記測定モジュールが、前記ｅＮＢによって構成された前記複数の測定ギャップパターンにより、複数のセルについて周波数間測定を同時に行うようにさらに構成されている、請求項１１に記載のＵＥ。
【請求項１３】
セルの前記グループ内の各セルが、定義済みの周波数層において動作し、特定の測定ギャップパターンを使用して測定される、請求項１１に記載のＵＥ。
【請求項１４】
前記定義済みの時間期間が、測定ギャップ繰返し期間（ＭＧＲＰ）であり、前記ＭＧＲＰが、前記周波数間測定の目的に基づいて可変である、請求項１１に記載のＵＥ。
【請求項１５】
前記測定モジュールが、前記複数の測定ギャップパターンにより、最大１１のセルについて前記周波数間測定を行うようにさらに構成されている、請求項１１に記載のＵＥ。
【請求項１６】
測定ギャップパターンを構成するための方法であって、
進化型ノードＢ（ｅＮＢ）において、ユーザ装置（ＵＥ）について複数の測定ギャップパターンを生成するステップであって、各測定ギャップパターンは、前記ＵＥが選定済みのセルについて周波数間測定を行うべき間の定義済みの時間期間内での連続サブフレームの少なくとも１つの組を示す、ステップと、
前記ｅＮＢから前記ＵＥへの前記複数の測定ギャップパターンを構成するステップであって、前記ＵＥが、前記複数の測定ギャップパターンに従って、セルのグループ内の選定済みのセルについて前記周波数間測定を行うように構成されている、ステップと
セルの前記グループ内の前記選定済みのセルについての現在のトラフィック状態に基づいて前記複数の測定ギャップパターンを修正するステップと
前記ＵＥが前記選定済みのセルについて前記周波数間測定を行うべき間の可変測定ギャップ長さ（ＭＧＬ）を含むように前記複数の測定ギャップパターンを生成するステップと、
含む、方法。
【請求項１７】
前記ＵＥの速度、前記ＵＥにおけるチャネル品質、又は前記ＵＥが前記周波数間測定を行うセルの数のうちの少なくとも１つに基づいて、前記複数の測定ギャップパターンの密度を調整するステップをさらに含む、請求項１６に記載の方法。
【請求項１８】
前記ＵＥが前記周波数間測定を行うべき間の連続サブフレームの少なくとも１つの組を含むように前記複数の測定ギャップパターンを生成するステップであって、連続サブフレームの前記組は、長さが１ミリ秒（ｍｓ）から５ｍｓにまで及ぶ、ステップをさらに含む、請求項１６に記載の方法。
【請求項１９】
４０ミリ秒（ｍｓ）、８０ｍｓ、１２０ｍｓ、１６０ｍｓ、２００ｍｓ、又は２４０ｍｓのうちの少なくとも１つであるように前記複数の測定ギャップパターンにおける前記定義済みの時間期間を設定するステップをさらに含む、請求項１６に記載の方法。
【発明の詳細な説明】
【背景技術】
【０００１】
無線モバイル通信技術は、様々な規格及びプロトコルを使用して、ノード（たとえば、送信局）と無線装置（たとえば、モバイル装置）との間でデータを送信する。いくつかの無線装置は、ダウンリンク（ＤＬ）送信の際には、直交周波数分割多元接続（ＯＦＤＭＡ）を使用し、アップリンク（ＵＬ）送信の際には、単一キャリア周波数分割多元接続（ＳＣ−ＦＤＭＡ）を使用して通信する。信号送信に直交周波数分割多重化（ＯＦＤＭ）を使用する規格及びプロトコルには、第３世代パートナーシッププロジェクト（３ＧＰＰ）ロングタームエボリューション（ＬＴＥ）、ＷｉＭＡＸ（Ｗｏｒｌｄｗｉｄｅ  ｉｎｔｅｒｏｐｅｒａｂｉｌｉｔｙ  ｆｏｒ  Ｍｉｃｒｏｗａｖｅ  Ａｃｃｅｓｓ）として業界団体には一般的に知られているＩｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ（ＩＥＥＥ）８０２．１６規格（たとえば、８０２．１６ｅ、８０２．１６ｍ）、及びＷｉＦｉとして業界団体には一般的に知られているＩＥＥＥ８０２．１１規格が含まれる。
【０００２】
３ＧＰＰ無線アクセスネットワーク（ＲＡＮ）ＬＴＥシステムにおいては、ノードは、進化型ユニバーサル地上波無線接続ネットワーク（Ｅ−ＵＴＲＡＮ）ノードＢ（進化型ノードＢ、拡張型ノードＢ、ｅノードＢ、又はｅＮＢとも一般に示される）と、無線ネットワークコントローラ（ＲＮＣ）との組合せとすることができ、ユーザ装置（ｕｓｅｒ  ｅｑｕｉｐｍｅｎｔ：ＵＥ）として知られている無線装置と通信する。ダウンリンク（ＤＬ）送信は、ノード（たとえば、ｅノードＢ）から無線装置（たとえば、ＵＥ）への通信とすることができ、アップリンク（ＵＬ）送信は、無線装置からノードへの通信とすることができる。
【０００３】
同種ネットワークにおいては、マクロノードとも呼ばれるノードは、セルの中の無線装置に対する基本的なワイヤレスカバレッジを提供することができる。セルは、無線装置が、マクロノードとその中で通信するように動作可能なエリアとすることができる。異種ネットワーク（Ｈｅｔｅｒｏｇｅｎｅｏｕｓ  ｎｅｔｗｏｒｋ：ＨｅｔＮｅｔ）は、無線装置の増加した使用量及び機能に起因したマクロノードにおける増加したトラフィック負荷に対処するために使用され得る。ＨｅｔＮｅｔは、計画された高電力マクロノード（又はマクロｅＮＢ）の層を含むことができ、この層には、マクロノードのカバレッジエリア（セル）内であまりよく計画されていない、又は全く調整されていない形にさえも配備され得る、より低い電力ノード（スモールｅＮＢ、マイクロｅＮＢ、ピコｅＮＢ、フェムトｅＮＢ、若しくはホームｅＮＢ（ＨｅＮＢ））の層が重なっている。より低い電力ノード（ｌｏｗｅｒ  ｐｏｗｅｒ  ｎｏｄｅｓ：ＬＰＮ）は、一般に、「低電力ノード」、スモールノード、又はスモールセルと称される場合がある。
【０００４】
ＬＴＥにおいては、データは、物理ダウンリンク共用チャネル（ＰＤＳＣＨ）を介してｅノードＢからＵＥに送信可能である。物理アップリンク制御チャネル（ＰＵＣＣＨ）は、データが受信済みであることを確認するために使用され得る。ダウンリンク及びアップリンクのチャネル又は送信は、時分割複信（ｔｉｍｅ−ｄｉｖｉｓｉｏｎ  ｄｕｐｌｅｘｉｎｇ：ＴＤＤ）、又は周波数分割複信（ｆｒｅｑｕｅｎｃｙ−ｄｉｖｉｓｉｏｎ  ｄｕｐｌｅｘｉｎｇ：ＦＤＤ）を使用し得る。
【０００５】
本開示の特徴及び利点は、後に続く詳細な説明と、本開示の特徴を例としてともに示す添付の図面と併せて解釈されることにより明らかになろう。
【図面の簡単な説明】
【０００６】
【図１】例による、定義済みの周波数層をそれぞれが有する複数のセルについての測定ギャップを示す図である。
【図２】例による、複数の測定ギャップパターンを構成するための進化型ノードＢ（ｅＮＢ）とユーザ装置（ＵＥ）との間の信号伝達を示す図である。
【図３】例による、ユーザ装置（ＵＥ）についての複数の測定ギャップパターンを示す図である。
【図４】例による、ユーザ装置（ＵＥ）についての複数の測定ギャップパターンを示す図である。
【図５Ａ】例による、様々な時間のユーザ装置（ＵＥ）についての複数の測定ギャップパターンを示す図である。
【図５Ｂ】例による、様々な時間のユーザ装置（ＵＥ）についての複数の測定ギャップパターンを示す図である。
【図５Ｃ】例による、様々な時間のユーザ装置（ＵＥ）についての複数の測定ギャップパターンを示す図である。
【図６】例による、ユーザ装置（ＵＥ）についての複数の測定ギャップパターンを示す図である。
【図７】例による、ユーザ装置（ＵＥ）についての複数の測定ギャップパターンを示す図である。
【図８】例による、測定ギャップパターンを構成するように動作可能な進化型ノードＢ（ｅＮＢ）の機能を描く図である。
【図９】例による、周波数間測定を行うように構成されたユーザ装置（ＵＥ）の機能を描く図である。
【図１０】例による、測定ギャップパターンを構成するための方法の流れ図を描く図である。
【図１１】例による、無線装置（たとえば、ＵＥ）を示す略図である。
【発明を実施するための形態】
【０００７】
次に、図示される例示的な実施形態が参照され、これを説明するために本明細書においては、特定の文言が使用されることになる。にもかかわらず、それによって、本発明の範囲を限定することを意図するものが何もないことは理解されよう。
【０００８】
本発明が開示され、説明される前に、本発明が、本明細書において開示される特定の構造、方法ステップ、又は材料に限定されるのではなく、当業者によって認識されるであろうようにその等価物にまで拡張されることを理解されたい。また、本明細書において採用される専門用語は、特定の例を説明する目的のためにのみ使用されるにすぎず、限定しているように意図していないことも理解すべきである。異なる図面の中の同じ参照符号は、同じ要素を表している。流れ図及び方法の中に与えられる番号は、図示するステップ及び動作において明瞭にするために与えられており、必ずしも特定の順番又は順序を示しているわけではない。
【０００９】
例示的な実施形態
技術的実施形態の最初の概観が、以下に与えられ、次いで、特定の技術的実施形態が、その後にさらに詳細に説明される。この最初の概要は、本技術をより迅速に理解する際に役立つように意図されているのであって、本技術の主要な特徴若しくは基本的な特徴を特定するようにも、又は特許請求される主題の範囲を限定するようにも意図していない。
【００１０】
ユーザ装置（ＵＥ）についての複数の測定ギャップパターン（ｇａｐ  ｐａｔｔｅｒｎ）を構成するための技術が説明される。複数の測定ギャップパターンは、進化型ノードＢ（ｅＮＢ）によって生成可能であり、次いで、ＵＥは、複数の測定ギャップパターンにより構成可能である。１つの例においては、複数の測定ギャップパターンは、ＵＥにおいて、１つ以上の受信（Ｒｘ）チェーンの中でスケジューリング可能である。ＵＥは、キャリアアグリゲーション（ｃａｒｒｉｅｒ  ａｇｇｒｅｇａｔｉｏｎ：ＣＡ）をサポートするように構成可能である。そのため、ＵＥは、隣接バンド（ｂａｎｄ）内ＣＡ構成、又はバンド間ＣＡ構成のいずれかにおいて、２つ以上のキャリアの同時受信をサポートすることができる。言い換えれば、ＵＥは、種々のＲＦ周波数においてデータを受信することができる。加えて、ＵＥは、バンド内で非隣接（ｎｏｎ−ｃｏｎｔｉｇｕｏｕｓ：ＮＣ）キャリアをサポートすることができる。本明細書において説明される本技術においては、ＵＥがキャリアアグリゲーションをサポートするという理由から、ＵＥは、複数のＲｘチェーン（又はＲＦチェーン）について複数の測定ギャップパターンを実装することができる。
【００１１】
１つの例においては、各測定ギャップパターンは、ＵＥが選定済みのセルについて周波数間測定を行う間の定義済みの時間期間内での連続サブフレームの少なくとも１つの組を示すことができる。周波数間チャネル測定は、周波数間及び無線間アクセス技術（ｉｎｔｅｒ−ＲＡＴ）測定とも称される場合がある。選定済みのセルは、セルのグループ内にあることができ、ここで、グループの中の各セルは、別個の周波数層において動作し、特定の測定ギャップパターンを使用して測定される。選定済みのセルについての周波数間測定は、参照信号受信電力（ｒｅｆｅｒｅｎｃｅ  ｓｉｇｎａｌ  ｒｅｃｅｉｖｅｄ  ｐｏｗｅｒ：ＲＳＲＰ）測定、又は参照信号受信品質（ｒｅｆｅｒｅｎｃｅ  ｓｉｇｎａｌ  ｒｅｃｅｉｖｅｄ  ｑｕａｌｉｔｙ：ＲＳＲＱ）測定とすることができる。そのため、ＵＥは、複数の測定ギャップパターンに従って、セルのグループ内の（別の周波数層においてそれぞれ動作する）選定済みのセルについて周波数間測定を行うことができる。ＵＥが周波数間測定を行うセルのグループは、キャリアアグリゲーション、又はデータオフローディングに使用され得る。
【００１２】
限定しない例として、第１の測定ギャップパターンは、ＵＥに、８０サブフレームごとに５連続サブフレームの組を使用して、第１の選定済みのセルについて周波数間測定を行うように指示することができる。第２の測定ギャップパターンは、ＵＥに、４０サブフレームごとに３連続サブフレームの組を使用して、第２の選定済みのセルについて周波数間測定を行うように指示することができる。第１の選定済みのセル及び第２の選定済みのセルはそれぞれ、別の周波数層において動作することができる。したがって、ＵＥは、別の測定ギャップパターンに従って、第１のセル及び第２のセルを測定することができる。言い換えれば、ＵＥは、複数の測定ギャップパターンに基づいて、複数のセル（別の周波数層においてそれぞれ）について周波数間測定を同時に行うことができる。
【００１３】
１つの構成においては、ＵＥが選定済みのセルについて周波数間測定を行う間の定義済みの時間期間は、測定ギャップ繰返し期間（ｍｅａｓｕｒｅｍｅｎｔ  ｇａｐ  ｒｅｐｅｔｉｔｉｏｎ  ｐｅｒｉｏｄ：ＭＧＲＰ）と称される場合がある。ＭＧＲＰは、４０ミリ秒（ｍｓ）、８０ｍｓ、１２０ｍｓ、１６０ｍｓ、２００ｍｓ、又は２４０ｍｓとすることができる。１サブフレームは、１ｍｓに対応することができ、したがって、４０ｍｓは、４０サブフレームに対応し、８０ｍｓは、８０サブフレームに対応する、などである。したがって、ＵＥは、４０秒ごとに、８０秒ごとになど、周期的に、選定済みのセルについて周波数間測定を行うことができる。加えて、ＭＧＲＰは、周波数間測定の目的に基づいて可変であってよい。たとえば、目的がセル識別向けである場合、ＵＥは、４０サブフレームごとに、第１のセルについて周波数間測定を行うことができる。一方、目的がセル測定向けである場合、ＵＥは、８０サブフレームごとに、第２のセルについて周波数間測定を行うことができる。別の例においては、ＵＥが選定済みのセルについて周波数間測定を行う間の測定ギャップ長さ（ｍｅａｓｕｒｅｍｅｎｔ  ｇａｐ  ｌｅｎｇｔｈ：ＭＧＬ）は、ＵＥが選定済みのセルについて周波数間測定を行うときに検出される同期化シンボルの位置に基づいて可変である。ＭＧＬは、ＵＥが選定済みのセルについて周波数間測定を行う間の定義済みの時間期間内での連続サブフレームの組と対応することができる。１つの例においては、ＭＧＬは、１ミリ秒（ｍｓ）から５ｍｓにまで及ぶことができる。言い換えれば、ＵＥは、選定済みのセルについて周波数間測定を行うのに（定義済みの時間期間のうち）１〜５ｍｓを費やし得る。別の例においては、セルのグループ内の選定済みのセルは、マクロセル、マイクロセル、ピコセル、又はフェムトセルを含むことができる。
【００１４】
３ＧＰＰのＬＴＥ仕様の以前のリリースによれば、ＵＥは、周波数間、又は無線間アクセス技術（ＲＡＴ間）の測定を行うことができる。ＵＥは、定義済みの周波数（たとえば、周波数０）において動作するセルによってサービス提供され得るが、他の周波数層において動作する他のセルのチャネル品質を周期的にモニタリングすることができる。ＵＥが別のセルのチャネル品質をモニタリングするとき、ＵＥは、測定が行われるセルに合うようにその周波数を切り替える。たとえば、周波数１において動作する別のセルについて測定を行うには、ＵＥは、それ自体のデフォルト周波数（たとえば周波数０）を周波数１に一時的に切り替えて、周波数１において動作する他のセルについて測定を行わなくてはならない。ＵＥが他のセルについての測定を完了するとき、ＵＥは、デフォルト周波数（たとえば、周波数０）に戻すことができ、又は別のセルに関連付けられるさらなる別の周波数（たとえば、周波数２）に切り替えて、追加の測定を行うことができる。１つの例においては、他のセルは、一定の状況において（たとえば、データオフローディングのために）、ＵＥに近接していても、及び／又はＵＥによって使用されてもよい。ＵＥによって測定されるチャネル品質は、参照信号受信電力（ＲＳＲＰ）測定、及び／又は参照信号受信品質（ＲＳＲＱ）測定を含むことができる。ＲＳＲＰ測定及びＲＳＲＱ測定は、他の周波数層において動作する他のセルからの信号強度を示すことができる。
【００１５】
ＵＥが周波数間セル及びＲＡＴ間セルの測定を行うとき、ＵＥは、その受信機を異なるキャリア周波数に合わせることができる。たとえば、ＵＥは、受信（Ｒｘ）キャリア周波数を、デフォルト周波数（たとえば、サービングセルの周波数０）から、測定すべきセルに対応する別の周波数に切り替えることができる。周波数間測定又はＲＡＴ間測定は、すべてのサブキャリアにおけるアップリンク及びダウンリンクのデータ送信の際に一定の休止を構成することによって、並びにＵＥが休止期間において周波数間測定又はＲＡＴ間測定を行うことができるようにすることによって促進され得る。送信の際のそのような休止期間又はギャップは、測定ギャップと呼ばれる。ＵＥは、周波数内セルを測定するのにいずれの測定ギャップも必要としない。測定ギャップ中に、ＵＥは、いずれのデータも送信せず、又はＵＥは、サウンディング基準信号（ＳＲＳ）、ＣＱＩ／ＰＭＩ／ＲＩ及びＨＡＲＱフィードバックを送信することもしない。測定ギャップにおいてリソースを割り当てるアップリンク付与がある場合には、ＵＥは、その付与を処理するが、ＵＥは、割り当てられたアップリンクリソースにおいての送信はしない。ＵＥはまた、測定ギャップの直後には、サブフレームにおいての送信をしない。
【００１６】
レガシーシステムにおいては、ＵＥは、信号Ｒｘを使用して動作する。ＵＥが複数の周波数において複数のセルについて測定を行うべきである場合には、ＵＥは、無線周波数（ＲＦ）チェーン間で切り替えなくてはならない。ＲＦチェーンは、１つ以上のセルが動作する定義済みの周波数を示すことができる。言い換えれば、種々のＲＦチェーン間で切り替えることによって、ＵＥは、測定を行うために種々の周波数間で切り替えている。例として、ＵＥが周波数１において動作するセルの測定を行うために、周波数０から周波数１に切り替える場合には、ＵＥは、この期間（すなわち、測定ギャップ）中に、周波数０に関するデータを受信することができない。言い換えれば、レガシーシステムにおいては、ＵＥは、周波数１についての測定を行っているとき、周波数０に関するデータを受信することができない。結果として、周波数０はサービングセルが位置している周波数であるので、ＵＥの実行は、周波数０において影響を受ける可能性がある。言い換えれば、周波数０は、データがＵＥにおいて送信又は受信される一次周波数とすることができる。
【００１７】
３ＧＰＰのＬＴＥ仕様の以前のリリースによれば、ＵＥは、周波数間測定を行うために、４０ｍｓ当たり６ｍｓについて、異なる周波数（すなわち、サービングセル周波数以外の周波数）に切り替えることができる。言い換えれば、ＵＥは、異なる周波数（たとえば、周波数１）において、４０ｍｓ中６ｍｓを費やし得る。代替としては、ＵＥは、周波数間測定を行うために、別の周波数において、８０ｍｓ当たり６ｍｓを費やし得る。ＵＥがＬＴＥキャリア（たとえば、周波数１）を測定するとき、ＵＥは、６ｍｓ長さギャップにおいて、プライマリ同期信号（Ｐｒｉｍａｒｙ  Ｓｙｎｃｈｒｏｎｉｚａｔｉｏｎ  Ｓｉｇｎａｌ：ＰＳＳ）及びセカンダリ同期信号（Ｓｅｃｏｎｄａｒｙ  Ｓｙｎｃｈｒｏｎｉｚａｔｉｏｎ  Ｓｉｇｎａｌ：ＳＳＳ）を、ＰＳＳとＳＳＳとが５ｍｓごとに繰り返すように取り込むことができる。また、６ｍｓ長さ測定ギャップは、チャネル推定に十分なセル固有の参照シンボルを含む。６ｍｓ長さ測定ギャップは、ＵＥが、異なるＬＴＥキャリア（たとえば、周波数１）に合わせるため、及びサービングＬＴＥキャリア（たとえば、周波数０）に戻るためのマージンを含む。
【００１８】
測定ギャップ中に、ＵＥは、ＲＡＴ間測定を行うことができ、それは、ＬＴＥネットワークの中のＵＥが、たとえば、３Ｇネットワーク、符号分割多元接続（ＣＤＭＡ）ネットワーク、進化型ユニバーサル地上波無線接続ネットワーク（Ｅ−ＵＴＲＡＮ）などについてのチャネル状態をモニタリングするときに行われる。ＵＥがこれらの測定を行う間の時間期間は、測定ギャップと称される。そのため、以前のバージョンにおいては、測定ギャップは、４０ｍｓ又は８０ｍｓ当たり６ｍｓであると定義付けられ得る。測定ギャップ中に、ＵＥは、利用可能なリソースを使用して、周波数間測定を行うことができる。概して、ネットワークは、最初、ＵＥについての測定ギャップパターンをスケジューリングすることができ、次いで、ＵＥは、定義済みの継続時間の残りの間、その同じ測定ギャップパターンが、繰り返してスケジューリングされることを求める。ＵＥは、ネットワークが既存の測定ギャップパターンを変更するように追加の信号伝達を送るとき、新規測定ギャップを実装することができる。
【００１９】
したがって、以前のバージョンにおいては、ＵＥは、概して、６ｍｓ測定ギャップが、４０ｍｓ又は８０ｍｓごとに実質的にいつでも生じることを求める。先に説明したように、ＵＥは、この測定ギャップ（すなわち、６ｍｓ期間）中に、アップリンク（ＵＬ）又はダウンリンク（ＤＬ）の送信を行わない。ＵＥが測定を行うのに４０ｍｓ中６ｍｓを費やさざるを得ないとき、（すなわち、ＵＥは、この時間中に、ＵＬ又はＤＬにおいて通信しないので）利用可能なリソースのうちの約１５％が、そのような測定に使用されている。この１５％は、ＵＥスケジューリングに使用され得ない。結果として、ＵＥのスループットは、ＵＥが測定を実行することに起因として悪影響を受ける可能性がある。
【００２０】
１つの構成においては、ＵＥは、キャリアアグリゲーションをサポートすることができる。キャリアアグリゲーションの際に、ＵＥは、複数のバンド又はセルから信号を同時に受信することができる。キャリアアグリゲーションは、帯域幅と、それによってビットレートとを増加させるのに使用され得る。ＵＥは、２つ以上の成分キャリア（ｃｏｍｐｏｎｅｎｔ  ｃａｒｒｉｅｒ：ＣＣ）から成る集約されたリソースにＤＬ又はＵＬのリソースが割り当てられ得る。最大で５つの成分キャリアまでが集約可能である。１つの例においては、すべて同じ動作周波数バンド内にある隣接成分キャリアが使用され得る。代替としては、成分キャリアは、種々の動作周波数バンドに属することが可能である。ＵＥは、キャリアアグリゲーション中に利用可能な（すなわち、成分キャリアと関連付けられる複数の周波数に対応する）複数のＲＦチェーンを有することができるが、以前の解決策は、複数のＲＦチェーンの場合について考慮していない測定ギャップパターンについて説明している。
【００２１】
以前の解決策においては、単一の測定ギャップパターンのみ、ＲＦチェーンを測定するのに使用され得る。単一の測定ギャップパターンは、単一のＲＦチェーンについて測定を行うのに使用され得る。ＵＥが２つのＲＦチェーンを有する（たとえば、ＵＥが２つの他の周波数において測定を行わなくてはならない）場合には、ＵＥは、測定を行うのに、なおも単一のギャップ測定パターンを使用しなくてはならない。そのため、本明細書において説明される本技術は、１つ以上のＲＦチェーンについて、ＵＥ当たり複数の測定ギャップパターンを使用することを教示する。
【００２２】
図１は、定義済みの周波数層をそれぞれが有する複数のセルについての例示的な測定ギャップを示している。異種ネットワークにおいては、別個の周波数レベルにおいて動作するあるタイプのセルは、オフローディングの目的のために配備され得る。これらのセルは、たとえば、マクロセル、マイクロセル、ピコセル、フェムトセル、又は中継セルを含むことができる。マクロセルは、概して、最も広範囲のセルサイズについて説明した。マクロセルは、地方エリア、又は高速道路に沿って見出され得る。より小さいセルエリアに対して、マクロセルは、人口密集した都市エリアの中で使用され得る。ピコセルは、大きいオフィス、モール、又は鉄道駅の中など、マイクロセルよりも小さいエリアの中で使用され得る。フェムトセルは、ピコセルと比較して、より小さいエリアのカバレッジに使用される。たとえば、フェムトセルは、住宅又は小さいオフィスの中で使用され得る。中継セルは、相対的に低電力を使用し、また相対的に小さいエリアにカバレッジを提供する。それぞれマクロセル、マイクロセル、ピコセルなどは、別の周波数層（たとえば、周波数０、周波数１、及び周波数２など）において動作し得る。
【００２３】
図１に示されているように、第１のマクロセル１１０が、周波数０において動作することができ、第２のマクロセル１２０が、周波数１において動作することができ、ピコセル１３０が、周波数２において動作することができる。第１のマクロセル１１０及び第２のマクロセル１２０はともに、類似するカバレッジエリアを有することができるのに対して、ピコセル１３０は、オフローディング向けに配備され得る。３ＧＰＰのＬＴＥ仕様の以前のバージョンにおいては、測定ギャップは、ユーザ装置（ＵＥ）１４０が周波数間測定を行う間の期間（すなわち、サブフレーム）と定義付けられる。この期間中に、ダウンリンク（ＤＬ）又はアップリンク（ＵＬ）の送信はいずれも、ＵＥ１４０においてスケジューリングされ得ない。ＵＥ１４０は、最初、マクロセル１１０内で動作することができる。言い換えれば、第１のマクロセル１１０は、ＵＥ１４０についてのサービングセルとすることができる。ＵＥ１４０は、ネットワークによって定義付けられた各測定ギャップ期間の周波数間層すべてについて測定を行うことができる。この例においては、ＵＥ１４０は、（周波数１において動作する）第２のマクロセル１２０について、及び（周波数２において動作する）ピコセル１３０について測定を行うことができる。
【００２４】
測定ギャップは、ＵＥ１４０が周波数１及び周波数２について測定を行う間の期間を示すことができる。測定ギャップは、ＵＥ１４０が周波数０について測定を行う間の期間を示していない。（周波数０に対応する）第１のマクロセル１１０がサービングセルであるので、ＵＥ１４０は、周波数０について測定を行うとき、なおも第１のマクロセル１１０（すなわち、ＵＥのサービングセル）を用いてデータを受信又は送信することができる。
【００２５】
１つの例においては、（周波数０に対応する）第１のマクロセル１１０、及び（周波数１に対応する第２のマクロセル１２０が類似のカバレッジエリアを有するので、第１のマクロセル１１０内のＵＥ１４０は、第２のマクロセル１２０についてあまり頻繁な測定を行わなくてよい。ＵＥ１４０は、標準的な周期性に従って、（周波数１に対応する）ピコセル１３０について周波数間測定を行うことができる。しかしながら、３ＧＰＰのＬＴＥ仕様の以前のバージョンは、ネットワークが、種々の周波数について種々の測定ギャップパターン（たとえば、種々の周波数において動作する様々なセル）を構成することを許容していない。加えて、３ＧＰＰのＬＴＥ仕様の以前のバージョンは、ネットワークが、ＵＥ１４０が測定を行うための目的に基づいて、種々の測定ギャップパターンを構成することを許容していない。
【００２６】
複数の測定ギャップパターンを構成することができないネットワークの以前の能力は、ＵＥの電力消費レベルを増加させる可能性がある。測定ギャップが、相対的に長さが短いとき、ＵＥ１４０は、すべての周波数層において頻繁に測定を行う可能性がある。結果として、ＵＥ１４０は、追加の電力を消費する可能性がある。加えて、ＵＥ１４０は、測定ギャップ中に、ＤＬ／ＵＬの送信を行うことができないので、全データ速度は低下し得る。加えて、複数の測定ギャップパターンを構成することができないネットワークの以前の能力は、結果的に、スモールセルの発見を相対的に遅くさせる可能性がある。測定ギャップが相対的に長いとき、ＵＥ１４０は、隣接するセルを発見する機会が低い可能性がある。これらの問題は、配備されるスモールセルの数及び周波数層の数が増加するとき、悪化する可能性がある。
【００２７】
図１に示されているように、ＵＥ１４０は、（事例１に示されるように）第２のマクロセル１２０に対して周波数間測定を行うために、周波数１に切り替えることができる。周波数１における一定の時間期間後に、ＵＥ１４０は、周波数間ハンドオーバーを行い、（ピコセル１３０と対応する）周波数２に切り替えることができる。ＵＥ１４０は、最初、周波数２において動作することができ、一定の時間期間後に、ＵＥ１４０は、（事例２に示されるように）ピコセル１３０に対して周波数間測定を行うことができる。ＵＥ１４０は、周波数間ハンドオーバーを行い、周波数１に戻るように切り替えることができる。ＵＥ１４０は、最初、周波数１において動作することができ、一定の時間期間後に、ＵＥ１４０は、（事例３に示されるように）第２のマクロセル１２０に対して周波数間測定を行うことができる。その後、ＵＥ１４０は、周波数間ハンドオーバーを行い、（周波数１に対応する）第１のマクロセル１１０に戻るように切り替えることができる。
【００２８】
図２は、複数の測定ギャップパターンを構成するための進化型ノードＢ（ｅＮＢ）２２０とユーザ装置（ＵＥ）２１０との間の例示的な信号伝達を示している。ｅＮＢ２２０は、ＵＥ２１０について複数の測定ギャップパターンを生成することができる。各測定ギャップパターンは、ＵＥ２１０が選定済みのセルについて周波数間測定を行うべき間の定義済みの時間期間内での連続サブフレームの少なくとも１つの組を示すことができる。ｅＮＢ２２０は、ＵＥ２１０について複数の測定ギャップパターンを構成することができ、ここで、ＵＥ２１０は、複数の測定ギャップパターンに従って、セルのグループ内の選定済みのセルについて周波数間測定を行うことができる。
【００２９】
１つの例においては、測定ギャップパターンは、ＵＥ２１０が、周波数間測定を行うべき間のサブフレームを示すことができる。周波数間測定は、参照信号受信電力（ＲＳＲＰ）測定、又は参照信号受信品質（ＲＳＲＱ）測定を含むことができる。１つの例においては、ＵＥ２１０は、測定ギャップパターン中に、（定義済みの周波数において動作する）特定のセルについて測定を行うことができる。代替としては、ＵＥ２１０は、同じ測定ギャップパターン中に、（別個の周波数においてそれぞれが動作する）複数のセルについて測定を行うことができる。
【００３０】
１つの例においては、ＵＥ２１０は、２つ以上の無線周波数（ＲＦ）チェーンについて複数の測定ギャップパターンを実装することができる。ＲＦチェーンは、１つ以上のセルが動作する定義済みの周波数を示すことができる。ＵＥ２１０は、２つの別個のＲＦチェーンにおいて並行測定を行うことができる。各個々のＲＦチェーンは、ｅＮＢ２２０によって独立してスケジューリングされ得る。言い換えれば、対応するセル（又はＲＦチェーン）についての各測定ギャップパターンは、ｅＮＢ２２０によって独立してスケジューリングされ得る。例として、ＵＥ２１０は、第１の測定ギャップパターンに従って、第１のＲＦチェーン（すなわち、第１の周波数において動作する第１のセル）について測定を行うことができる。加えて、ＵＥ２１０は、第２の測定ギャップパターンに従って、第２のＲＦチェーン（すなわち、第２の周波数において動作する第２のセル）について測定を行うことができる。第１の測定ギャップパターン及び第２の測定ギャップパターンは、ｅＮＢ２２０によって独立してスケジューリングされ得る。したがって、ｅＮＢ２２０は、ＵＥ２１０について複数の測定ギャップパターンを構成して、ＵＥ２１０が複数のセルについて周波数間測定を同時に行うことができるようにし得る。言い換えれば、ＵＥ２１０は、複数のＲＦチェーンについて並行測定を行うために、第１の測定ギャップパターン及び第２の測定ギャップパターンを並行して実装することができる。ＵＥ２１０は、キャリアアグリゲーションを使用して動作する（すなわち、複数のセルから複数の信号を同時に受信する）ことができるので、周波数間測定は、第２のＲＦチェーンについての周波数間測定の実行と重なり合う時に、第１のＲＦチェーンについて行われ得る。これは、ＵＥが周波数間測定を行っているときに他のタスクを行うことができなかったＬＴＥ仕様の以前のバージョンとは（すなわち、ＵＥは、以前の解決策においては、単一のＲｘを有するので）対照的である。
【００３１】
１つの構成においては、セルのグループ内の各セルは、定義済みの周波数層において動作し、特定の測定ギャップパターンを使用して測定される。ＵＥ２１０が、周波数間測定を行うセルのグループは、キャリアアグリゲーション、又はデータオフローディングに使用され得る。加えて、ＵＥ２１０が周波数間測定を行うセルは、マクロセル、マイクロセル、ピコセル、又はフェムトセルを含むことができる。
【００３２】
限定しない例として、測定ギャップパターンは、ＵＥ２１０に、４０ミリ秒（ｍｓ）ごとに第１のＲＦチェーンを測定するように指示することができ、ここで、４０ｍｓは、ＵＥ２１０が周波数間測定を行うべき間の定義済みの時間期間を示す。測定ギャップパターンにおける定義済みの時間期間はまた、測定ギャップ繰返し期間（ＭＧＲＰ）とも称される場合がある。言い換えれば、ＵＥ２１０は、ＭＧＲＰ当たり第１のＲＦチェーンについて測定を行うことになる。１つの例においては、ＭＧＲＰは、４０ｍｓ、８０ｍｓ、１２０ｍｓ、１６０ｍｓ、２００ｍｓ、又は２４０ｍｓとすることができる。概して、ＭＧＲＰは、後方互換性を維持するために、４０ｍｓの倍数とすることができる。ＵＥ２１０は、第１のＲＦチェーンを、（ＲＦチェーンと関連付けられている）セルが動作する周波数に一時的に切り替えることによって測定することができる。
【００３３】
１つの例においては、ＵＥ２１０は、キャリアアグリゲーションをサポートすることができ、したがって、ＵＥ２１０は、複数のバンド又はセルから信号を同時に受信することができる。ＵＥ２１０が、第１のＲＦチェーンについて測定を行っているとき、ＵＥ２１０は、なおも第２のＲＦチェーンにおいてデータを送信又は受信することができ得る。言い換えれば、ＵＥ２１０が、（第１の周波数において動作する）第１のセルについて測定を行っているとき、ＵＥ２１０は、なおも（第２の周波数において動作する）第２のセルを用いてデータを送信又は受信することができる。結果として、ＵＥ２１０は、第１のセル及び第２のセルについての測定を、一方の測定が他方の測定に影響を及ぼすことなく、互いに独立して行うことができる。
【００３４】
１つの構成においては、ｅＮＢ２２０は、並行して１つ以上のＲＦチェーンについてＵＥ当たり複数の測定ギャップパターンを同時に構成することができる。そのため、ネットワークは、周波数層当たり種々の測定ギャップパターンにおける設定を最適化することができる。加えて、ネットワークは、種々のＲＦチェーンにわたって測定負荷のバランスを取るようにさらなる柔軟性を有する。１つの例においては、測定ギャップパターンは、１つ以上の周波数にリンクすることができる。言い換えれば、特定の測定ギャップパターンは、第１のＲＦチェーンと第２のＲＦチェーンとの両方について測定を行うことができる。別の例においては、測定ギャップ繰返し期間（ＭＧＲＰ）は、ＵＥ測定を同調させるための最小ギャップの倍数とすることができる。結果として、ＵＥ２１０が測定を行うのに必要な回数は、最小限にされ得、測定衝突が回避され得る。
【００３５】
１つの例においては、ＵＥ２１０は、特定のセルについての現在のトラフィック状態に基づいて複数の測定ギャップパターンを修正することができる。概して、ＭＧＲＰは、特定のＲＦチェーンについて周期的である。たとえば、ＵＥ２１０は、４０ｍｓごとにそれぞれ、第１のＲＦチェーン及び第２のＲＦチェーンについて測定を行うことができる。ＵＥ２１０が複数のＲＦチェーンについて測定を行うとき、ＵＥ２１０は、種々のＲＦチェーンにわたって測定負荷のバランスを取るための柔軟性を有する。各周波数層の並列測定は、１つのＲＦチェーンにおいてか、又は複数のＲＦチェーンにわたってかのいずれかで柔軟に行われ得る。測定ギャップ（すなわち、ＵＥ２１０が測定を行う間のサブフレーム）は、ダウンリンクリソースの相対的に大きい割合を消費する可能性がある。ＵＥ２１０が、第１のＲＦチェーンから有意な量のリソースを使用しており（すなわち、第１のＲＦチェーンがビジーであり）、第２のＲＦチェーンから低減された量のリソースを使用している（すなわち、第２のＲＦチェーンは、第１のＲＦチェーンよりもビジーでない）場合には、ｅＮＢ２２０は、第２のＲＦチェーンに追加の測定負荷を割り振り、第１のＲＦチェーンにおける測定負荷を低下させることができる。第１のＲＦチェーンにおける測定負荷を低下させることによって、ＵＥ２１０は、第１のＲＦチェーンに対する（チャネル測定とは反対に）ＵＬ／ＤＬのデータ送信について追加のサブフレームを得ることができる。言い換えれば、測定ギャップの密度は、さらなるＤＬ受信及びＵＬ送信のために、第１のＲＦチェーンについて低減され得る。限定しない例として、第１のＲＦチェーンにおける測定負荷を低下させることによって、第１のＲＦチェーンについてＵＥ２１０によって使用されるリソースの量は、一定の時間期間の間、１５％から５％に低減され得る。ＵＥ２１０は、キャリア周波数を使用して動作するので、ＵＥ２１０は、第２のＲＦチェーンについての測定が行われているとき、なおも第１のＲＦチェーンにおけるＵＬ／ＤＬ送信を行うことができる。第１のＲＦチェーンが、ＲＦチェーン２よりも軽い負荷を有するようになってから後に、ｅＮＢ２２０は、２つのＲＦチェーン間の測定負荷のバランスを取り直すことができる。したがって、ｅＮＢ２２０は、種々のＲＦチェーンにわたって測定作業を柔軟に管理することができる。
【００３６】
１つの構成においては、ＵＥが選定済みのセルについて周波数間測定を行う間の測定ギャップ長さ（ＭＧＬ）は、可変である。ＭＧＬは、定義済みの時間期間内での連続サブフレームの組に対応し得る。１つの例においては、ＭＧＬは、長さが１ミリ秒（ｍｓ）から５ｍｓにまで及ぶことができる。ＭＧＬは、ＵＥ２１０が選定済みのセルについて周波数間測定を行うときに検出される同期化シンボルの位置に基づいて変わることができる。
【００３７】
以前の解決策において、ＭＧＬは、６ｍｓという固定された長さであり、相対的に長い時間期間の間に均等に分布している。言い換えれば、５０ｍｓ又は８０ｍｓごとに６ｍｓのＭＧＬは、相対的に長い時間期間にわたってきわめて均等に分布している。本明細書において説明される本技術においては、測定ギャップ長さは、可変であり、１ｍｓから５ｍｓにまで及ぶことができる。以前の解決策においては、６ｍｓという測定ギャップは、同期化シンボルの少なくとも１つのペアを見出すのに十分な時間期間を確保するのに選定された。ＵＥが他の周波数セルについて測定を行うとき、同期化がまずは完了され、次いで、測定が行われる。６ｍｓは、同期化シンボルが５ｍｓごとに繰り返すので、同期化シンボルの少なくとも１つのペアが、６ｍｓ期間内に含まれていることを可能にすることができる。以前の解決策は、非同期ネットワークが使用されていることについて説明しており、その事例においては、ＵＥは、同期化シンボルの位置をあらかじめ知っていない。結果として、ＵＥは、同期ペアを得るために６ｍｓ全体を待たなくてはならない。しかしながら、現在の技術の中で利用される同期ネットワークにおいては、ＵＥ２１０は、これらの同期化シンボルがどの位置に置かれている可能性があるかを知ることができる。同期ネットワークにおいては、種々の周波数間に同期化が存在する。そのため、ＵＥ２１０は、以前の解決策にあるような６ｍｓ全体を待つ必要がない。むしろ、ＵＥ２１０は、同期化シンボルの位置に応じて、１ｍｓから５ｍｓを使用して測定を行うことができる。測定ギャップを低減させることによって、ダウンリンクリソースは、節約され得る。たとえば、４０サブフレーム中６サブフレーム使用することは、利用可能なリソースのうちの１５％を消費する。しかしながら、４０サブフレーム中３サブフレーム使用することは、利用可能なリソースのうちの７．５％を消費し、それは、有意な低減である。
【００３８】
１つの構成においては、ＭＧＲＰは、周波数間測定の目的に基づいて可変であってよい。ＵＥの電力節約方策及び測定の目的（たとえば、セル識別、セル測定、ネットワーク制御割込み）に応じて、ｅＮＢ２２０は、並列又は非並列の測定のいずれかについて可変測定ギャップパターンを構成することができる。そのため、ＵＥ２１０は、第１及び第２のＲＦチェーンの目的に応じて、第２のＲＦチェーンに比較してそれほど頻繁には第１のＲＦチェーンについての測定を行わなくてよい。言い換えれば、不均等に分布した測定ギャップパターンが、ＵＥ２１０について構成可能である。
【００３９】
１つの例においては、ＵＥ２１０は、ＵＥ２１０についてのカバレッジを保証するマクロセルによってサービス提供され得る。言い換えれば、ＵＥ２１０は、マクロセルと接続解除される可能性は低い。ＵＥは、スモールセルに接続する別のＲＦチェーンを有する。スモールセルは、データオフローディングに使用され得る。言い換えれば、ＵＥ２１０はまた、大量のデータがＵＥ２１０に通信されることになるとき、スモールセルを使用することができる。ＵＥ２１０が、いかなるカバレッジ懸念もはらんでいない（すなわち、マクロセルが、ＵＥ２１０を概ねカバーすると仮定される）場合には、ＵＥ２１０は、単に、オフローディング目的のために、他のセル周波数（たとえば、スモールセル）を測定するだけでよい。そのため、ＵＥ２１０は、頻繁にスモールセルを測定する必要がない。言い換えれば、ＵＥ２１０は、概ね、そのカバレッジについて心配する必要がないので、ＵＥ２１０は、頻繁に他のセル周波数を測定する必要がない。ＵＥ２１０がたとえスモールセルとの接続を失っても、ＵＥ２１０は、なおも、マクロセルによってカバーされるので、ＵＥ２１０は、別のスモールセル（仮にあった場合）を探すのにその時間を取ることができる。カバレッジのための周波数間測定に比較して、オフローディング目的のための周波数間測定は、それほど測定遅延要件を定めていない。したがって、ＵＥ２１０がカバレッジ目的のためにマクロセルを測定しているのか、それともＵＥ２１０がオフローディング目的のためにスモールセルを測定しているのかに基づいて、ｅＮＢ２２０は、測定ギャップパターンの密度を調整することができる。
【００４０】
１つの例においては、測定ギャップパターンの密度は、ＵＥの速度に基づいて調整され得る。ＵＥの速度が高い場合には、ＵＥ２１０は、潜在的なカバレッジ懸念をはらんでいる可能性があり得る。この事例においては、ｅＮＢ２２０は、より高密度な測定ギャップパターンを構成することができる（たとえば、４０ｍｓごとに６ｍｓという既存のルールが使用され得る）。ネットワークがＵＥの速度が低いことを検出するときには、カバレッジ問題は全く存在していない可能性がある。この事例においては、ｅＮＢ２２０は、疎らな測定ギャップパターンをスケジューリングすることが可能であり、それにより、ダウンリンクリソースを節約し、ＵＥの電力を温存することが可能になる。疎らな測定パターンの限定しない例は、１２０ｍｓ中４ｍｓを使用して、測定を行うこととなり得る。測定ギャップパターンは、ＵＥの状況及びＵＥのカバレッジ状態に依存し得る。したがって、ＵＥの速さは、ギャップパターン密度（すなわち、測定がいかに頻繁に行われるか）を調整するのに使用される１つの要因であり得る。
【００４１】
１つの例においては、測定ギャップパターンの密度は、接続のユーザの品質に基づいて調整され得る。マクロセルからのＲＳＲＰが弱い場合には、ネットワークは、ＵＥ２１０が、潜在的なカバレッジ問題をはらんでいることを決定することができる。この事例においては、ｅＮＢ２２０は、ＵＥの速度が速いか、又は遅いかにかかわらず、相対的に高密度な測定ギャップパターンを構成することができる。したがって、ＲＳＲＰ（又はチャネル品質）は、測定ギャップパターンの密度に影響を及ぼし得る別の要因である。一方、ＲＳＲＰが相対的に良好であり、ＵＥの速度が低い場合には、ｅＮＢ２２０は、スペアの測定ギャップパターンを構成することができる。測定ギャップパターンの密度に影響を及ぼし得る別の要因は、ＵＥ２１０がどれだけ数多くの周波数をモニタリングすべきであるかということである。ＬＴＥ仕様の以前のバージョンにおいては、ＵＥは、最大１１の周波数をモニタリングすることができる。この事例においては、ネットワークは、必要なセルのすべてを測定するために、相対的に高密度な測定ギャップパターンを割り振ることができる。ＵＥがモニタリングする周波数（又はセル）をほとんど有していない場合には、疎らな又はそれほど高密度でない測定ギャップパターンが、ｅＮＢ２２０によって構成され得る。
【００４２】
図３は、ユーザ装置（ＵＥ）についての例示的な複数の測定ギャップパターンを示している。複数の測定ギャップパターンは、測定ギャップパターン１及び測定ギャップパターン２を含むことができる。複数の測定ギャップパターンは、ＵＥ向けに進化型ノードＢ（ｅＮＢ）によって構成され得る。ＵＥは、複数の測定ギャップパターンを同時に実装するように構成され得る。言い換えれば、ＵＥは、測定ギャップパターン２と並行して測定ギャップパターン１を実装することができる。したがって、ｅＮＢは、２つ以上のＲＦチェーンについてＵＥ当たり複数の測定ギャップパターンを構成することができる。
【００４３】
測定ギャップパターン１によれば、ＵＥは、（たとえば、第１のセルに対応する）周波数１をモニタリングするのに４０サブフレームごとに４サブフレーム（又は４秒）を費やし得る。たとえば、ＵＥは、測定を行うのに４０サブフレーム時間フレームの中のサブフレーム５〜８を費やし得る。４０サブフレーム期間の終わりに、ＵＥは、同じ測定ギャップを繰り返すことができる（すなわち、ＵＥは、続く４０サブフレーム時間フレームの中のサブフレーム５〜８を費やし得る）。測定ギャップパターン２によれば、ＵＥは、（たとえば、第２のセルに対応する）周波数２をモニタリングするのに４０サブフレームごとに４サブフレームを費やし得る。たとえば、ＵＥは、測定を行うのに４０サブフレーム時間フレームの中のサブフレーム１３〜１６を費やし得る）。４０サブフレーム期間の終わりに、ＵＥは、同じ測定ギャップを繰り返すことができる（すなわち、ＵＥは、続く４０サブフレーム時間フレームの中のサブフレーム１３〜１６を費やし得る）。測定ギャップパターン１と測定ギャップパターン２との両方においては、ＵＥは、４０サブフレームごとに測定を繰り返すことができる。
【００４４】
図４は、ユーザ装置（ＵＥ）についての例示的な複数の測定ギャップパターンを示している。複数の測定ギャップパターンは、測定ギャップパターン１及び測定ギャップパターン２を含むことができる。測定ギャップパターン１によれば、ＵＥは、（たとえば、第１のセルに対応する）周波数１をモニタリングするのに４０サブフレームごとに４サブフレーム（又は４秒）を費やし得る。測定ギャップパターン２によれば、ＵＥは、（たとえば、第２のセルに対応する）周波数２をモニタリングするのに８０サブフレームごとに４サブフレームを費やし得る。したがって、ＵＥは、測定ギャップパターンについて４０サブフレームごとに測定を繰り返すことができ、一方、測定ギャップパターン２についての測定は、８０サブフレームごとに繰り返される。
【００４５】
図５Ａ〜図５Ｃは、様々な時間のユーザ装置（ＵＥ）についての例示的な複数の測定ギャップパターンを示している。複数の測定ギャップパターンは、測定ギャップパターン１及び測定ギャップパターン２を含むことができる。複数の測定ギャップパターンは、ＵＥ向けに進化型ノードＢ（ｅＮＢ）によって構成され得る。
【００４６】
図５Ａの中に示されているように、ＵＥは、Ｔ＝１において、測定ギャップパターン１及び測定ギャップパターン２を実装することができる。測定ギャップパターン１によれば、ＵＥは、（たとえば、第１のセルに対応する）周波数１をモニタリングするのに４０サブフレームごとに定義済みの数のサブフレーム（たとえば、２〜５サブフレーム）を費やし得る。測定ギャップパターン２によれば、ＵＥは、（たとえば、第２のセルに対応する）周波数２をモニタリングするのに４０サブフレームごとに定義済みの数のサブフレーム（たとえば、２〜５サブフレーム）を費やし得る。
【００４７】
図５Ｂの中に示されているように、ＵＥは、Ｔ＝２において、修正された測定ギャップパターン１及び修正された測定ギャップパターン２を実装することができる。１つの例においては、ｅＮＢは、特定のセル（又はＲＦチェーン）におけるトラフィック負荷に基づいて測定ギャップパターンを修正することができる。（たとえば、第２のセルに対応する）周波数２におけるトラフィック負荷が、（たとえば、第１のセルに対応する）周波数１におけるトラフィック負荷に比較して相対的に高い場合には、ｅＮＢは、一時的に、複数のＲＦチェーンの中で測定作業のバランスを取り直すことができる。そのため、修正された測定ギャップパターン１によれば、ＵＥは、（たとえば、第１のセルに対応する）周波数１について、８０サブフレームごとに、測定の３つの組を行うことができる。修正された測定ギャップパターン２によれば、ＵＥは、（たとえば、第２のセルに対応する）周波数２について、８０サブフレームごとに、単に１測定を行うことができる。言い換えれば、周波数２におけるトラフィックの量が相対的に高いので、ｅＮＢは、周波数２についての測定負荷を低下させ得る。周波数２についての測定負荷を低下させることによって、（普通なら測定を行うために使われることになる）追加のリソースが得られる可能性がある。加えて、周波数１におけるトラフィックの量が相対的に低いので、ｅＮＢは、周波数１についての測定負荷を増加させることができる。
【００４８】
図５Ｃの中に示されているように、ＵＥは、Ｔ＝３において、元の測定ギャップパターン１及び測定ギャップパターン２に戻ることができる。ＵＥは、トラフィック状態が、定義済みのレベルに復帰したとき、元のギャップ測定パターンに戻ることができる。たとえば、周波数１におけるトラフィックの量が、定義済みのレベルに戻るように減少した場合には、ＵＥは、以前の測定ギャップパターン２（たとえば、各８０サブフレーム窓について２測定）を実装することができる。
【００４９】
図６は、ユーザ装置（ＵＥ）についての例示的な複数の測定ギャップパターンを示している。複数の測定ギャップパターンは、測定ギャップパターン１及び測定ギャップパターン２を含むことができる。複数の測定ギャップパターンは、ＵＥ向けに進化型ノードＢ（ｅＮＢ）によって構成され得る。測定ギャップパターン１によれば、ＵＥは、第１のＲＦチェーン（たとえば、周波数１）及び第２のＲＦチェーン（たとえば、周波数２）について測定を行うことができる。ＵＥは、第１のＲＦチェーンについて測定を行うのに１サブフレームを費やし得る。加えて、ＵＥは、第２のＲＦチェーンについて測定を行うのに４サブフレームを費やし得る。測定ギャップパターン２によれば、ＵＥは、２サブフレーム期間中に、第３のＲＦチェーン（たとえば、周波数２）について測定を行うことができる。したがって、測定ギャップ長さ（すなわち、ＵＥが測定を行う間の期間）は、可変であってよい。１つの例においては、測定ギャップ長さは、ＵＥが特定の周波数について測定を行うときに検出される同期化シンボルの位置に基づいて可変であってよい。
【００５０】
図７は、ユーザ装置（ＵＥ）についての例示的な複数の測定ギャップパターンを示している。複数の測定ギャップパターンは、測定ギャップパターン１及び測定ギャップパターン２を含むことができる。複数の測定ギャップパターンは、進化型ノードＢ（ｅＮＢ）によって構成され得、次いで、ＵＥに通信され得る。測定ギャップパターン１によれば、ＵＥは、８０サブフレーム期間中に、第１のＲＦチェーン（たとえば、第１の周波数）について２測定を行い、次いで、続く８０サブフレーム期間中に、第１のＲＦチェーンについて単一の測定を行うことができる。したがって、ＵＥは、第１のＲＦチェーンの測定を行っているとき、不均等に分布した測定ギャップパターンを実装することができる。一方、ＵＥは、８０サブフレームごとに第２のＲＦチェーン（たとえば、周波数２）について測定を行っているとき、均等に分布した測定ギャップパターンに従うことができる。言い換えれば、測定ギャップパターン１は、非周期的な測定ギャップを提供し、それに対して、測定ギャップパターン２は、周期的な測定ギャップを提供する。
【００５１】
別の例が、図８の中の流れ図に示されるように、測定ギャップパターンを構成するように動作可能な進化型ノードＢ（ｅＮＢ）の機能８００を提供している。機能は、方法として実装され得、又は機能は、機械における命令として実行され得、ただし、命令は、少なくとも１つのコンピュータ可読媒体又は１つの非一時的機械可読記憶媒体において含まれている。ブロック８１０の中に示すように、ｅＮＢは、ユーザ装置（ＵＥ）について複数の測定ギャップパターンを生成するように構成された１つ以上のプロセッサを含むことができ、ここで、各測定ギャップパターンは、ＵＥが選定済みのセルについて周波数間測定を行うべき間の定義済みの時間期間内での連続サブフレームの少なくとも１つの組を示す。ブロック８２０の中に示すように、ｅＮＢは、ＵＥへの複数の測定ギャップパターンを構成するように構成された１つ以上のプロセッサを含むことができ、ＵＥは、複数の測定ギャップパターンに従って、セルのグループ内の選定済みのセルについて周波数間測定を行うように構成されている。
【００５２】
１つの例においては、１つ以上のプロセッサは、ＵＥへの複数の測定ギャップパターンを構成して、ＵＥが複数のセルについて周波数間測定を同時に行うことを可能にするように構成され得る。別の例においては、１つ以上のプロセッサは、セルのグループ内の選定済みのセルについての現在のトラフィック状態に基づいて複数の測定ギャップパターンを修正するようにさらに構成され得る。さらなる別の例においては、測定ギャップパターンにおける定義済みの時間期間は、測定ギャップ繰返し期間（ＭＧＲＰ）であり、ここで、ＭＧＲＰは、周波数間測定の目的に基づいて可変である。
【００５３】
１つの例においては、セルのグループ内の各セルは、定義済みの周波数層において動作し、特定の測定ギャップパターンを使用して測定される。別の例においては、ＵＥが選定済みのセルについて周波数間測定を行う間の測定ギャップ長さ（ＭＧＬ）は、ＵＥが選定済みのセルについて周波数間測定を行うときに検出される同期化シンボルの位置に基づいて可変であり、ＭＧＬは、定義済みの時間期間内での連続サブフレームの組に対応する。さらなる別の例においては、ＵＥが周波数間測定を行う間の連続サブフレームの組は、長さが１ミリ秒（ｍｓ）から５ｍｓにまで及ぶ。
【００５４】
１つの例においては、１つ以上のプロセッサは、ＵＥの速度、ＵＥにおける品質、又はＵＥが周波数間測定を行うセルの数のうちの少なくとも１つに基づいて、複数の測定ギャップパターンの密度を調整するようにさらに構成され得る。別の例においては、定義済みの時間期間は、４０ミリ秒（ｍｓ）、８０ｍｓ、１２０ｍｓ、１６０ｍｓ、２００ｍｓ、又は２４０ｍｓのうちの少なくとも１つである。さらなる別の例においては、セルのグループ内の選定済みのセルは、マクロセル、マイクロセル、ピコセル、又はフェムトセルのうちの少なくとも１つである。１つの構成においては、選定済みのセルについての周波数間測定は、参照信号受信電力（ＲＳＲＰ）測定、又は参照信号受信品質（ＲＳＲＱ）測定を含む。別の構成においては、ＵＥが周波数間測定を行うセルのグループは、キャリアアグリゲーション、又はデータオフローディングに使用される。
【００５５】
別の例が、図９の中の流れ図に示されるように、周波数間測定を行うように構成されたユーザ装置（ＵＥ）９１０の機能９００を提供している。機能は、方法として実装され得、又は機能は、機械における命令として実行され得、ただし、命令は、少なくとも１つのコンピュータ可読媒体又は１つの非一時的機械可読記憶媒体において含まれている。ＵＥ９１０は、進化型ノードＢ（ｅＮＢ）９２０によって構成された複数の測定ギャップパターンを識別するように構成された通信モジュール９１２を含むことができ、ここで、各測定ギャップパターンは、ＵＥ９１０が選定済みのセルについて周波数間測定を行うべき間の定義済みの時間期間内での連続サブフレームの少なくとも１つの組を示す。ＵＥ９１０は、ｅＮＢ９２０によって構成された複数の測定ギャップパターンにより、セルのグループ内の選定済みのセルについて周波数間測定を行うように構成された測定モジュール９１４を含むことができる。
【００５６】
１つの例においては、測定モジュール９１４は、ｅＮＢ９２０によって構成された複数の測定ギャップパターンにより、複数のセルについて周波数間測定を同時に行うようにさらに構成され得る。１つの例においては、通信モジュール９１２は、セルのグループ内の選定済みのセルについての現在のトラフィック状態に基づいて修正される更新された複数の測定ギャップパターンを受信するようにさらに構成され得、測定モジュール９１４は、更新された複数の測定ギャップモジュールに従って、周波数間測定を行うようにさらに構成され得る。
【００５７】
１つの例においては、セルのグループ内の各セルは、定義済みの周波数層において動作し、特定の測定ギャップパターンを使用して測定される。別の例においては、定義済みの時間期間は、測定ギャップ繰返し期間（ＭＧＲＰ）であり、ＭＧＲＰは、周波数間測定の目的に基づいて可変である。さらなる別の例においては、測定モジュール９１４は、複数の測定ギャップパターンにより、最大１１のセルについて周波数間測定を行うようにさらに構成され得る。加えて、ＵＥ９１０が選定済みのセルについて周波数間測定を行う間の測定ギャップ長さ（ＭＧＬ）は、ＵＥ９１０が選定済みのセルについて周波数間測定を行うときに検出される同期化シンボルの位置に基づいて可変であり、ＭＧＬは、定義済みの時間期間内での連続サブフレームの組に対応する。
【００５８】
別の例が、図１０の中の流れ図に示されるように、測定ギャップパターンを構成するための方法１０００を提供している。方法は、機械における命令として実行され得、ただし、命令は、少なくとも１つのコンピュータ可読媒体又は１つの非一時的機械可読記憶媒体において含まれている。方法は、ブロック１０１０に示すように、進化型ノードＢ（ｅＮＢ）において、ユーザ装置（ＵＥ）について複数の測定ギャップパターンを生成する動作を含むことができ、ここで、各測定ギャップパターンは、ＵＥが選定済みのセルについて周波数間測定を行うべき間の定義済みの時間期間内での連続サブフレームの少なくとも１つの組を示す。方法は、ブロック１０２０に示すように、ｅＮＢからＵＥへの複数の測定ギャップパターンを構成する動作を含むことができ、ＵＥは、複数の測定ギャップパターンに従って、セルのグループ内の選定済みのセルについて周波数間測定を行うように構成されている。
【００５９】
１つの例においては、方法は、セルのグループ内の選定済みのセルについての現在のトラフィック状態に基づいて複数の測定ギャップパターンを修正する動作を含むことができる。別の例においては、方法は、ＵＥが選定済みのセルについて周波数間測定を行うべき間の可変測定ギャップ長さ（ＭＧＬ）を含むように、複数の測定ギャップパターンを生成する動作を含むことができる。
【００６０】
１つに例においては、方法は、ＵＥの速度、ＵＥにおけるチャネル品質、又はＵＥが周波数間測定を行うセルの数のうちの少なくとも１つに基づいて、複数の測定ギャップパターンの密度を調整する動作を含むことができる。別の例においては、方法は、ＵＥが周波数間測定を行うべき間の連続サブフレームの少なくとも１つの組を含むように、複数の測定ギャップパターンを生成する例を含むことができ、連続サブフレームの組は、長さが、１ミリ秒（ｍｓ）から５ｍｓにまで及ぶ。さらなる別の例においては、方法は、４０ミリ秒（ｍｓ）、８０ｍｓ、１２０ｍｓ、１６０ｍｓ、２００ｍｓ、又は２４０ｍｓのうちの少なくとも１つであるように、複数の測定ギャップパターンにおける定義済みの時間期間を設定する動作を含むことができる。
【００６１】
図１１は、ユーザ装置（ＵＥ）、モバイル局（ＭＳ）、モバイル無線装置、モバイル通信装置、タブレット、ハンドセット、又は他のタイプの無線装置など、無線装置の例示的な図を提供している。無線装置は、ノード、マクロノード、低電力ノード（ｌｏｗ  ｐｏｗｅｒ  ｎｏｄｅ：ＬＰＮ）、若しくは基地局（ＢＳ）などの送信局、進化型ノードＢ（ｅＮＢ）、ベースバンドユニット（ｂａｓｅｂａｎｄ  ｕｎｉｔ：ＢＢＵ）、遠隔無線ヘッド（ｒｅｍｏｔｅ  ｒａｄｉｏ  ｈｅａｄ：ＲＲＨ）、遠隔無線装置（ｒｅｍｏｔｅ  ｒａｄｉｏ  ｅｑｕｉｐｍｅｎｔ：ＲＲＥ）、中継局（ｒｅｌａｙ  ｓｔａｔｉｏｎ：ＲＳ）、無線装置（ｒａｄｉｏ  ｅｑｕｉｐｍｅｎｔ：ＲＥ）、又は他のタイプのワイヤレス広域ネットワーク（ｗｉｒｅｌｅｓｓ  ｗｉｄｅ  ａｒｅａ  ｎｅｔｗｏｒｋ：ＷＷＡＮ）アクセスポイントと通信するように構成された１つ或いは複数のアンテナを含むことができる。無線装置は、３ＧＰＰのＬＴＥ、ＷｉＭＡＸ、Ｈｉｇｈ  Ｓｐｅｅｄ  Ｐａｃｋｅｔ  Ａｃｃｅｓｓ（ＨＳＰＡ）、Ｂｌｕｅｔｏｏｔｈ（登録商標）、及びＷｉＦｉを含んだ少なくとも１つのワイヤレス通信規格を使用して通信するように構成され得る。無線装置は、各ワイヤレス通信規格について別個のアンテナを使用して、又は複数のワイヤレス通信規格について共有のアンテナを使用して通信することができる。無線装置は、ワイヤレスローカルエリアネットワーク（ｗｉｒｅｌｅｓｓ  ｌｏｃａｌ  ａｒｅａ  ｎｅｔｗｏｒｋ：ＷＬＡＮ）、ワイヤレスパーソナルエリアネットワーク（ｗｉｒｅｌｅｓｓ  ｐｅｒｓｏｎａｌ  ａｒｅａ  ｎｅｔｗｏｒｋ：ＷＰＡＮ）、及び／又はＷＷＡＮの中で通信することができる。
【００６２】
図１１は、無線装置からのオーディオ入力と出力とに使用可能なマイクロフォン及び１つ以上のスピーカの図を提供している。ディスプレイ画面は、液晶ディスプレイ（ＬＣＤ）画面、又は有機発光ダイオード（ＯＬＥＤ）ディスプレイなどの他のタイプのディスプレイ画面であってよい。ディスプレイ画面は、タッチ画面として構成され得る。タッチ画面は、容量性、抵抗性、又は別のタイプのタッチ画面技術を使用し得る。アプリケーションプロセッサ及びグラフィックスプロセッサが、内部メモリに連結されて、処理機能及び表示機能を提供することができる。不揮発性メモリポートもまた、ユーザにデータ入力／出力の選択肢を提供するために使用され得る。不揮発性メモリポートはまた、無線装置のメモリ機能を拡張するのにも使用され得る。キーボードが、追加的なユーザ入力を提供するために、無線装置と一体化されても、又は無線装置にワイヤレスで接続されてもよい。仮想キーボードもまた、タッチ画面を使用して提供され得る。
【００６３】
様々な技法、又は特定の態様、若しくはその一部分が、フロッピーディスク、ＣＤ−ＲＯＭ、ハードドライブ、非一時的コンピュータ可読記憶媒体、又は任意の他の機械可読記憶媒体などの有形媒体の中に具現化されたプログラムコード（すなわち、命令）の形態をとることができ、ここで、プログラムコードが、コンピュータなどの機械にロードされ、機械によって実行されるとき、機械は、様々な技法を実施するための機器になる。回路部は、ハードウェア、ファームウェア、プログラムコード、実行可能なコード、コンピュータ命令、及び／又はソフトウェアを含むことができる。非一時的コンピュータ可読記憶媒体は、信号を含まないコンピュータ可読記憶媒体とすることができる。プログラマブルコンピュータにおけるプログラムコード実行の事例においては、コンピューティング装置は、プロセッサ、プロセッサによって読取り可能な記憶媒体（揮発性並びに不揮発性のメモリ及び／又は記憶要素を含む）と、少なくとも１つの入力装置と、少なくとも１つの出力装置とを含むことができる。揮発性並びに不揮発性のメモリ及び／又は記憶要素は、ＲＡＭ、ＥＰＲＯＭ、フラッシュドライブ、光ドライブ、磁気ハードドライブ、ソリッドステートドライブ、又は電子データを記憶するための他の媒体とすることができる。ノード及び無線装置はまた、送受信機モジュール、カウンタモジュール、プロセッシングモジュール、及び／又はクロックモジュール若しくはタイマモジュールを含むことができる。本明細書において説明した様々な技法を実装する、若しくは利用することができる１つ以上のプログラムは、アプリケーションプログラミングインターフェース（ＡＰＩ）、及び再利用可能制御部などを使用することができる。そのようなプログラムは、コンピュータシステムと通信するように、高レベルな手続き型又はオブジェクト指向型のプログラミング言語において実装され得る。しかしながら、プログラムは、必要ならば、アセンブリ言語又は機械言語において実装され得る。いずれの事例においても、言語は、コンパイルされた言語、又は解釈された言語であってよく、ハードウェア実装形態と組み合わされてもよい。
【００６４】
本明細書において説明した機能ユニットの多くは、それらの実装形態の独立性をより具体的に強調するために、モジュールとしてラベル付けされていることを理解すべきである。たとえば、モジュールは、カスタムＶＬＳＩ回路、若しくはゲートアレイ、ロジックチップなどの既製半導体、トランジスタ、又は他の個別の構成要素を含むハードウェア回路として実装され得る。モジュールはまた、フィールドプログラマブルゲートアレイ、プログラマブルアレイロジック、又はプログラマブルロジック装置などのプログラマブルハードウェア装置などの中で実装され得る。
【００６５】
１つの例においては、複数のハードウェア回路が、本明細書において説明した機能的ユニットを実装するのに使用され得る。たとえば、第１のハードウェア回路が、処理動作を行うのに使用され得、第２のハードウェア回路（たとえば、送受信機）が、他のエンティティと通信するのに使用され得る。第１のハードウェア回路及び第２のハードウェア回路は、単一のハードウェア回路の中に一体化されてよく、又は代替としては、第１のハードウェア回路及び第２のハードウェア回路は、別個のハードウェア回路であってもよい。
【００６６】
モジュールはまた、様々なタイプのプロセッサによって実行されるように、ソフトウェアの中で実装され得る。例として、実行可能なコードの識別されたモジュールは、例として、オブジェクト、手続き、若しくは機能として体系化され得るコンピュータ命令の１つ以上の物理的若しくは論理的ブロックを含み得る。にもかかわらず、識別されたモジュールの実行可能ファイルは、物理的に一緒に置かれている必要はなく、種々の位置に記憶された異種命令を含むことができ、この異種命令は、モジュールを含み、論理的に一緒に結び付けられると、モジュールについて明記された目的を達成する。
【００６７】
実際には、実行可能コードのモジュールは、単一の命令であっても、又は数多くの命令であってもよく、さらにはいくつかの異なるコードセグメントにわたって、異なるプログラムの中で、且ついくつかのメモリ装置にまたがって分散されてもよい。同様に、動作データは、本明細書においてはモジュール内で識別及び例示され得、任意の適した形態で具現化され得、任意の適したタイプのデータ構造内で体系化され得る。動作データは、単一のデータセットとして収集されても、又は種々の記憶装置を介することを含む、種々の位置を介して分散されてもよく、単にシステム又はネットワーク上の電子信号として、少なくとも部分的に存在してもよい。モジュールは、所望の機能を行うように動作可能なエージェントを含んだ、受動型又は能動型とすることができる。
【００６８】
本明細書全体を通じて、「例（ａｎ  ｅｘａｍｐｌｅ）」を参照することは、例と関連して説明した特定の特徴、構造、又は特性が、本発明の少なくとも１つの実施形態の中に含まれていることを意味する。したがって、本明細書全体を通じて様々な所に、句「例において（ｉｎ  ａｎ  ｅｘａｍｐｌｅ）」が登場しても、必ずしもすべて同じ実施形態を示しているとは限らない。
【００６９】
本明細書に使用されるとき、複数の項目、構造的要素、組成要素、及び／又は材料は、便宜上、共通のリストの中に提示され得る。しかしながら、これらのリストは、リストの各メンバが、別個で独自のメンバとして個々に識別されるかのように解釈すべきである。したがって、そのようなリストの個々のメンバは、共通のグループにおけるそれらの提示にのみ基づいて、その反対を示すことなしに、同じリストの任意の他のメンバの事実上の等価物と見なされるべきものはまったくない。加えて、本発明の様々な実施形態及び例は、その様々な構成要素の代替形態とともに本明細書においては示され得る。そのような実施形態、例、及び代替形態は、互いの事実上の等価物と解釈されるべきではなく、本発明の別個で自律的な表現と解釈されるべきであることが理解される。
【００７０】
さらには、説明した特徴、構造、又は特性は、１つ以上の実施形態における任意の適した形で組み合わされてよい。以下の説明においては、本発明の実施形態の完全な理解を提供するために、レイアウト、距離の例、ネットワーク例などの多数の具体的な詳細が提供される。しかしながら、当業者は、本発明が、具体的な詳細のうちの１つ以上がなくても、或いは他の方法、構成要素、レイアウトなどを用いて実践可能であることを認識するであろう。他の例においては、よく知られている構造、材料、又は動作は、本発明の態様を曖昧にしないようにするために、詳細に示さず、又は説明されていない。
【００７１】
前述の諸例は、１つ以上の具体的な適用例における本発明の原理を示しているが、実装形態の形態、使用法、及び詳細における多数の修正が、発明的能力を働かせることなく、並びに本発明の原理及び概念から逸脱することなく行われ得ることは、当業者には明らかになろう。したがって、本発明は、特許請求の範囲によって後述されている場合を除き、限定されることを意図していない。
【図１】
0006342501.tif 000002
【図２】
0006342501.tif 000003
【図３】
0006342501.tif 000004
【図４】
0006342501.tif 000005
【図５Ａ】
0006342501.tif 000006
【図５Ｂ】
0006342501.tif 000007
【図５Ｃ】
0006342501.tif 000008
【図６】
0006342501.tif 000009
【図７】
0006342501.tif 000010
【図８】
0006342501.tif 000011
【図９】
0006342501.tif 000012
【図１０】
0006342501.tif 000013
【図１１】
0006342501.tif 000014